(57)【要約】【課題】モータのロータハブにおいてディスクを確実に保持する。【解決手段】ロータハブ３１は、記録ディスク４の開口に嵌合する凸部３１２およびディスク載置部３１４を備える。ロータハブ３１では、凸部３１２の外側面であるディスク嵌合面３１２１とディスク載置部３１４のディスク載置面３１４１との間に、環状の凹部であるヌスミ部３１６が形成される。ディスク載置面３１４１とヌスミ部３１６との境界であるヌスミ部第１エッジ３１６１は、記録ディスク４の下面４２の内周のエッジ４２１よりも内側に位置し、ディスク嵌合面３１２１とヌスミ部３１６との境界であるヌスミ部第２エッジ３１６２は、記録ディスク４の内側面４０１の上側のエッジ４０２よりも下側に位置する。これにより、記録ディスク４のディスク載置面３１４１に当接する面積を大きく確保して記録ディスク４を安定して保持することができる。【選択図】図４
2007213629.tif 000002
【特許請求の範囲】
【請求項１】
記録ディスク駆動装置にて記録ディスクの回転に使用される電動式のモータにおいて、前記記録ディスクが固定されるロータハブであって、
記録ディスクの中央部の円形の開口に嵌合する凸部と、
前記凸部の周囲において前記記録ディスクが載置されるディスク載置部と、
を備え、
前記記録ディスクの前記開口の内側面に対向する前記凸部の外側面であるディスク嵌合面、および、前記ディスク載置部において前記記録ディスクの下面に当接するディスク載置面の間に環状の凹部であるヌスミ部が形成され、
前記ディスク載置面が、前記記録ディスクの前記下面の内周エッジを含む環状領域に当接し、前記ディスク嵌合面の下側のエッジである前記ヌスミ部のエッジが、前記記録ディスクの前記内側面の上側のエッジよりも下側に位置することを特徴とするロータハブ。
【請求項２】
請求項１に記載のロータハブであって、
前記ヌスミ部が、前記ディスク載置面の内周のエッジであるもう１つのエッジを有し、前記もう１つのエッジが、前記記録ディスクの前記下面の前記内周エッジよりも内側に位置することを特徴とするロータハブ。
【請求項３】
請求項２に記載のロータハブであって、
前記ヌスミ部の前記もう１つのエッジが、前記ディスク嵌合面を前記ディスク載置面に向けて延長した延長面と前記ディスク載置面との交線と一致することを特徴とするロータハブ。
【請求項４】
請求項１に記載のロータハブであって、
前記ヌスミ部が、前記ディスク載置面よりも上側に形成されていることを特徴とするロータハブ。
【請求項５】
請求項１ないし４のいずれかに記載のロータハブであって、
前記ヌスミ部の前記エッジが、前記記録ディスクの前記内側面の上下方向に関する中央よりも下側に位置することを特徴とするロータハブ。
【請求項６】
請求項１ないし５のいずれかに記載のロータハブであって、
前記記録ディスクのサイズが１インチ型以下であることを特徴とするロータハブ。
【請求項７】
記録ディスク駆動装置にて記録ディスクの回転に使用される電動式のモータであって、
請求項１ないし６のいずれかに記載のロータハブ、および、前記ロータハブに取り付けられて所定の中心軸の周囲に配置される界磁用磁石を有するロータ部と、
前記界磁用磁石との間で前記中心軸を中心とするトルクを発生する電機子、および、前記電機子が取り付けられるベース部を有するステータ部と、
前記中心軸を中心に前記ロータ部を前記ステータ部に対して回転可能に支持する軸受機構と、
を備えることを特徴とするモータ。
【請求項８】
記録ディスク駆動装置であって、
情報を記録する記録ディスクと、
前記記録ディスクを回転する請求項７に記載のモータと、
前記記録ディスクに対する情報の読み出しおよび／または書き込みを行うヘッドと、
前記ヘッドを前記記録ディスクおよび前記モータに対して移動するヘッド移動機構と、
を備えることを特徴とする記録ディスク駆動装置。
【発明の詳細な説明】
【技術分野】
【０００１】
本発明は、記録ディスクが固定されるロータハブ、当該ロータハブを備えるモータ、および、当該モータを備える記録ディスク駆動装置に関する。
【背景技術】
【０００２】
従来より、ハードディスク装置と呼ばれる記録ディスク駆動装置は、記録ディスクを回転駆動するスピンドルモータ（以下、「モータ」という。）を備えており、当該記録ディスクはモータのロータハブに取り付けられる。記録ディスクは、中央部に設けられた開口をロータハブの凸部に嵌合させ、さらに、記録ディスクの下面をロータハブのディスク載置面に当接させた状態でクランパや取付ネジによりロータハブに対して押圧されることにより固定される。
【０００３】
特許文献１では、２枚の記録ディスクを備えるディスク駆動装置において、下側の記録ディスクが載置されるスピンドルハブのディスク載置面を、内周側が低く、外周側に向かって徐々に高くなる形状とすることにより、記録ディスクをスピンドルハブに取り付ける際に、ディスク載置面の外周側を撓ませて水平度を出し、スピンドルハブに取り付けられた記録ディスクの真直度（すなわち、ヘッドの移動経路との平行度）を向上する技術が開示されている。
【特許文献１】米国特許５３６９５３７号明細書
【発明の開示】
【発明が解決しようとする課題】
【０００４】
ところで、近年、ハードディスク装置は携帯音楽プレーヤ等にも搭載されており、大容量かつ小型のハードディスク装置が求められている。そこで、記録ディスクの直径を大きくすることなく記憶容量を増大するために、記録ディスクの下面側の記録領域を増大することが求められている。
【０００５】
しかしながら、下面側の記録領域を大きくするためにロータハブのディスク載置面の外径を小さくすると、記録ディスクとロータハブとの接触面積が小さくなり、記録ディスクを確実に保持することが困難になる。例えば、クランパ等による押圧力により記録ディスクが撓み、記録ディスクの外周部に反りが生じたり、記録ディスクのロータハブに対する相対位置がずれてしまう可能性がある。このように、記録ディスクに撓みやずれが生じると、記録ディスクに対する情報の読み書きに影響を与えることがある。
【０００６】
一方、ロータハブのディスク載置面の内周側には、記録ディスクの内周のコーナー部とロータハブとの接触を避けるために、あるいは、ロータハブの切削加工の際にバイトの移動方向を変更するためのヌスミ部（いわゆる、アンダーカット）がディスク載置面から下側に向けて形成される。このため、ディスク載置面と記録ディスクとの接触面積がさらに小さくなり、記録ディスクを確実に保持することがより難しくなる。特に、１インチ型等の小型の記録ディスクが取り付けられるロータハブでは、ヌスミ部によるディスク載置面の減少の影響が大きい。
【０００７】
ここで、ヌスミ部を小さくする方法として、先端の曲率半径が極小さいバイトによりロータハブを切削することが考えられるが、この場合、バイトの耐久性が低いため、切削効率が低下してロータハブの生産性が低下してしまう。また、市販のバイトを利用することができず、ロータハブの製造コストが増大することにもなる。
【０００８】
本発明は、上記課題に鑑みなされたものであり、モータのロータハブにおいてディスクを安定して保持することを目的としている。
【課題を解決するための手段】
【０００９】
請求項１に記載の発明は、記録ディスク駆動装置にて記録ディスクの回転に使用される電動式のモータにおいて、前記記録ディスクが固定されるロータハブであって、記録ディスクの中央部の円形の開口に嵌合する凸部と、前記凸部の周囲において前記記録ディスクが載置されるディスク載置部とを備え、前記記録ディスクの前記開口の内側面に対向する前記凸部の外側面であるディスク嵌合面、および、前記ディスク載置部において前記記録ディスクの下面に当接するディスク載置面の間に環状の凹部であるヌスミ部が形成され、前記ディスク載置面が、前記記録ディスクの前記下面の内周エッジを含む環状領域に当接し、前記ディスク嵌合面の下側のエッジである前記ヌスミ部のエッジが、前記記録ディスクの前記内側面の上側のエッジよりも下側に位置する。
【００１０】
請求項２に記載の発明は、請求項１に記載のロータハブであって、前記ヌスミ部が、前記ディスク載置面の内周のエッジであるもう１つのエッジを有し、前記もう１つのエッジが、前記記録ディスクの前記下面の前記内周エッジよりも内側に位置する。
【００１１】
請求項３に記載の発明は、請求項２に記載のロータハブであって、前記ヌスミ部の前記もう１つのエッジが、前記ディスク嵌合面を前記ディスク載置面に向けて延長した延長面と前記ディスク載置面との交線と一致する。
【００１２】
請求項４に記載の発明は、請求項１に記載のロータハブであって、前記ヌスミ部が、前記ディスク載置面よりも上側に形成されている。
【００１３】
請求項５に記載の発明は、請求項１ないし４のいずれかに記載のロータハブであって、前記ヌスミ部の前記エッジが、前記記録ディスクの前記内側面の上下方向に関する中央よりも下側に位置する。
【００１４】
請求項６に記載の発明は、請求項１ないし５のいずれかに記載のロータハブであって、前記記録ディスクのサイズが１インチ型以下である。
【００１５】
請求項７に記載の発明は、記録ディスク駆動装置にて記録ディスクの回転に使用される電動式のモータであって、請求項１ないし６のいずれかに記載のロータハブ、および、前記ロータハブに取り付けられて所定の中心軸の周囲に配置される界磁用磁石を有するロータ部と、前記界磁用磁石との間で前記中心軸を中心とするトルクを発生する電機子、および、前記電機子が取り付けられるベース部を有するステータ部と、前記中心軸を中心に前記ロータ部を前記ステータ部に対して回転可能に支持する軸受機構とを備える。
【００１６】
請求項８に記載の発明は、記録ディスク駆動装置であって、情報を記録する記録ディスクと、前記記録ディスクを回転する請求項７に記載のモータと、前記記録ディスクに対する情報の読み出しおよび／または書き込みを行うヘッドと、前記ヘッドを前記記録ディスクおよび前記モータに対して移動するヘッド移動機構とを備える。
【発明の効果】
【００１７】
本発明では、記録ディスクとディスク載置面との間の接触面積を増加させることができ、記録ディスクを安定して保持することができる。請求項３および４の発明では、記録ディスクの内周部の形状に関わらず、記録ディスクを安定して保持することができる。請求項４の発明では、また、ロータハブの形成を簡素化することもできる。
【発明を実施するための最良の形態】
【００１８】
図１は、本発明の第１の実施の形態に係る電動式のスピンドルモータ１（以下、「モータ１」という。）を備える記録ディスク駆動装置６０の内部構成を示す図である。記録ディスク駆動装置６０はいわゆるハードディスク装置であり、情報を記録する円板状の記録ディスク４、記録ディスク４に対する情報の書き込みおよび（または）読み出しを行うアクセス部６３、記録ディスク４を保持して回転する電動式のモータ１、並びに、記録ディスク４、アクセス部６３およびモータ１を内部空間１１０に収容するハウジング６１を備える。
【００１９】
図１に示すように、ハウジング６１は、上部に開口を有するとともにモータ１およびアクセス部６３が内側の底面に取り付けられる無蓋箱状の第１ハウジング部材６１１、並びに、第１ハウジング部材６１１の開口を覆うことにより内部空間１１０を形成する板状の第２ハウジング部材６１２を備える。記録ディスク駆動装置６０では、第１ハウジング部材６１１に第２ハウジング部材６１２が接合されてハウジング６１が形成され、内部空間１１０は塵や埃が極度に少ない清浄な空間とされる。
【００２０】
記録ディスク４は、モータ１の上側に載置されてクランパ６２１によりモータ１に固定される。本実施の形態では、記録ディスク４のサイズは１インチ型であり、記録ディスク４の厚さは約０．４ｍｍ（本実施の形態では、０．３７ｍｍ）である。アクセス部６３は、記録ディスク４に近接して情報の読み出しおよび書き込みを磁気的に行うヘッド６３１、ヘッド６３１を支持するアーム６３２、並びに、アーム６３２を移動させることによりヘッド６３１を記録ディスク４およびモータ１に対して相対的に移動するヘッド移動機構６３３を有する。これらの構成により、ヘッド６３１は回転する記録ディスク４に近接した状態で記録ディスク４の所要の位置にアクセスし、情報の書き込みおよび読み出しを行う。
【００２１】
図２は、記録ディスク４（図１参照）の回転に使用されるモータ１の構成を示す縦断面図である。図２に示すように、モータ１はインナーロータ型のモータであり、固定組立体であるステータ部２、および、回転組立体であるロータ部３を備える。ロータ部３は、作動流体である潤滑油による流体動圧を利用した軸受機構を介して、モータ１の中心軸Ｊ１（後述のロータハブ３１の中心軸でもある。）を中心にステータ部２に対して回転可能に支持される。以下の説明では、便宜上、中心軸Ｊ１に沿ってロータ部３側を上側、ステータ部２側を下側として説明するが、中心軸Ｊ１は必ずしも重力方向と一致する必要はない。
【００２２】
ステータ部２は、ステータ部２の各部を保持するベース部であるベースプレート２１、ロータ部３を回転可能に支持する軸受機構の一部である略円筒状のスリーブユニット２２、および、スリーブユニット２２の周囲にてベースプレート２１に取り付けられる電機子２４を備える。スリーブユニット２２の下部は、ベースプレート２１の開口に圧入されて固定されており、スリーブユニット２２の下端側の開口は、略円板状のシールキャップ２３により閉塞される。
【００２３】
スリーブユニット２２は、中心軸Ｊ１を中心とする略円筒状であってロータ部３のシャフト３１１が挿入されるスリーブ２２１、および、スリーブ２２１の外周に取り付けられる略円筒状のスリーブハウジング２２２を備える。スリーブ２２１は多孔質部材であり、スリーブハウジング２２２はスリーブ２２１に含浸された潤滑油を保持する役割を果たす。電機子２４は、複数の珪素鋼板を積層してなるコア２４１、および、コア２４１の複数のティースに巻装されるコイル２４２を備える。
【００２４】
ロータ部３は、記録ディスク４が固定されるとともにロータ部３の各部を保持するロータハブ３１、および、ロータハブ３１に取り付けられて中心軸Ｊ１の周囲に配置される界磁用磁石３２を備える。界磁用磁石３２は、多極着磁された円環状の磁石であり、電機子２４との間で中心軸Ｊ１を中心とする回転力（トルク）を発生する。
【００２５】
ロータハブ３１は、ステンレス等により一体的に形成されており、中心軸Ｊ１を中心とする略円筒状であって下側（すなわち、ステータ部２側）に突出するシャフト３１１、シャフト３１１の上端部から中心軸Ｊ１に対して垂直に広がる略円板状であって上側に突出する凸部３１２、凸部３１２の外縁において下側に突出する略円筒状の円筒部３１３、および、凸部３１２の周囲において円筒部３１３の外側面から外側に突出するとともに記録ディスク４が載置されるディスク載置部３１４を備える。シャフト３１１の下側の先端部には、略円板状のスラストプレート３１５が取り付けられる。
【００２６】
図３は、モータ１の一部（図２における左半分）を拡大して示す縦断面図である。図３では、記録ディスク４およびクランパ６２１も共に図示している。図３に示すように、記録ディスク４は、中央部に中心軸Ｊ１を中心とする円形の開口４０を有し、開口４０にはロータハブ３１の凸部３１２が嵌合している。記録ディスク４の開口４０の内側面４０１は凸部３１２の外側面３１２１と対向しており、以下、凸部３１２の外側面３１２１を「ディスク嵌合面３１２１」という。また、記録ディスク４の下面４２は、凸部３１２の周囲において中心軸Ｊ１に垂直なディスク載置部３１４の略円環状の上面（以下、「ディスク載置面」という。）３１４１に当接する。ロータハブ３１の凸部３１２には、中心軸Ｊ１を中心とするネジ穴が形成されており、クランパ６２１が凸部３１２にネジ止めされることにより、記録ディスク４がロータハブ３１に取り付けられる。
【００２７】
次に、モータ１のロータ部３をステータ部２に回転可能に支持する流体動圧を利用した軸受機構について説明する。図２に示すように、モータ１では、ロータハブ３１の凸部３１２の下面とスリーブハウジング２２２の上側の端面との間、スリーブ２２１の内側面とシャフト３１１の外側面との間、スリーブ２２１の下側の端面とスラストプレート３１５の上面との間、スラストプレート３１５の下面とシールキャップ２３の上面との間、および、スリーブハウジング２２２の上部のフランジ部２２４の外側面とロータハブ３１の円筒部３１３の内側面との間に微小な間隙が設けられる。ロータハブ３１、スリーブユニット２２およびシールキャップ２３の間に設けられたこれらの間隙には潤滑油が連続して充填され、いわゆるフルフィル構造の軸受機構が構成される。
【００２８】
スリーブハウジング２２２のフランジ部２２４の外側面は、その外径が下側に向かって漸次減少する傾斜面とされ、フランジ部２２４の外側面に対向するロータハブ３１の円筒部３１３の内側面の内径は一定とされる。これにより、フランジ部２２４と円筒部３１３との間の間隙における潤滑油の界面は、毛管現象および表面張力によりメニスカス状となってテーパシールが形成され、この間隙がオイルバッファとしての役割を果たして潤滑油の流出が防止される。
【００２９】
スリーブハウジング２２２の上側の端面、および、スリーブ２２１の下側の端面には、ロータ部３の回転時に潤滑油に対して中心軸Ｊ１側に向かう圧力を発生させるための溝（例えば、スパイラル状の溝）が形成されており、これらの端面およびこれらの端面に対向する面によりスラスト動圧軸受部が構成される。
【００３０】
また、シャフト３１１およびスリーブ２２１の互いに対向する面には、潤滑油に流体動圧を発生させるための溝（例えば、中心軸Ｊ１の向く方向に関して、スリーブ２２１の内側面の上下に設けられたヘリングボーン溝等）が形成されており、これらの面によりラジアル動圧軸受部が構成される。
【００３１】
モータ１では、流体動圧を利用する軸受機構によりロータ部３を潤滑油を介して非接触にて支持することにより、ロータ部３およびロータ部３に取り付けられる記録ディスク４（図１参照）を高精度、かつ、低騒音にて回転することができる。また、ロータハブ３１の凸部３１２の下面を軸受機構の一部とすることにより、モータ１の薄型化を実現している。
【００３２】
図４は、ロータハブ３１および記録ディスク４の一部を拡大して示す縦断面図である。記録ディスク４では、上面４１の内周部（すなわち、中心軸Ｊ１（図３参照）側の部位）が面取り形状とされ、上面４１と内側面４０１との間に、中心軸Ｊ１に対して傾斜する上部傾斜面４０３が形成されている。また、下面４２の内周部も、上面４１と同様に面取り形状とされ、下面４２と内側面４０１との間に、中心軸Ｊ１に対して傾斜する下部傾斜面４０４が形成されている。
【００３３】
ロータハブ３１は、ＣＮＣ（computer numerical control）旋盤のチャックにより保持されて回転するステンレス鋼等の被加工部材に対して、バイト等のツールにより切削加工を施すことにより形成される。凸部３１２およびディスク載置部３１４が形成される際には、ディスク載置部３１４の外周側から内周側に向かって（すなわち、中心軸Ｊ１側に向かって）切削が行われてディスク載置面３１４１が形成され、続いて、中心軸Ｊ１に沿ってディスク載置面３１４１から離れる方向へと切削が行われて凸部３１２のディスク嵌合面３１２１が形成される。本実施の形態では、中心軸Ｊ１を中心とする径方向におけるディスク載置面３１４１の幅は、０．４５ｍｍとされる。
【００３４】
このとき、記録ディスク４の下部傾斜面４０４近傍の部位とロータハブ３１との接触を避けたり、切削に利用されるバイトの移動方向を安定して変更するために、凸部３１２のディスク嵌合面３１２１とディスク載置部３１４のディスク載置面３１４１との間に、環状の凹部であるヌスミ部３１６が形成される。本実施の形態では、ヌスミ部３１６はディスク載置面３１４１の内周側から内側かつ斜め下方（すなわち、ディスク載置面３１４１から下向きに離れつつ中心軸Ｊ１側に向かう方向）に向かって形成される。
【００３５】
図４に示すように、ヌスミ部３１６のディスク載置面３１４１側のエッジ（すなわち、ディスク載置面３１４１の内周のエッジでもあり、以下、「ヌスミ部第１エッジ」という。）３１６１は、記録ディスク４の下面４２の内周エッジ（すなわち、記録ディスク４の下部傾斜面４０４の下側のエッジ）４２１よりも内側に位置する。これにより、ロータハブ３１のディスク載置面３１４１が、記録ディスク４の下面４２の内周エッジ４２１を含む環状領域（すなわち、内周側の環状領域）に当接するため、記録ディスク４の下面４２における記録領域を大きくすることを目的としてディスク載置面３１４１の外径を小さくした場合であっても、記録ディスク４のディスク載置面３１４１に当接する面積を大きく確保することができる。その結果、記録ディスク４を保持した際に、クランパ６２１（図３参照）から記録ディスク４に加えられる力により記録ディスク４が撓んでしまうことを防止することができる。
【００３６】
また、ヌスミ部３１６のディスク嵌合面３１２１側のエッジ（すなわち、ディスク嵌合面３１２１の下側のエッジでもあり、以下、「ヌスミ部第２エッジ」という。）３１６２は、中心軸Ｊ１（図３参照）方向に関し、記録ディスク４の内側面４０１の上側のエッジ（すなわち、記録ディスク４の上部傾斜面４０３の下側のエッジ）４０２よりも下側に位置する。これにより、記録ディスク４の内側面４０１がロータハブ３１のディスク嵌合面３１２１に確実に対向するため、記録ディスク４が中心軸Ｊ１に垂直な方向にずれてしまうことを防止することができる。
【００３７】
このように、モータ１では、記録ディスク４の記録領域を大きく確保しつつ、記録ディスク４の撓みや中心軸Ｊ１に対する位置ずれを防止して記録ディスク４を安定して保持することができる。このため、モータ１のロータハブ３１は、ディスク載置面３１４１に当接する面積が必然的に小さくなる小型記録ディスク、特に、サイズが１インチ型以下（１インチ型や０．８５インチ型等）である記録ディスク４の保持に特に適している。
【００３８】
ロータハブ３１では、ヌスミ部第１エッジ３１６１が、凸部３１２のディスク嵌合面３１２１を中心軸Ｊ１に沿って下方に（すなわち、ディスク載置面３１４１に向けて）延長した延長面（図４中に符号４０１ａを付す二点鎖線にて示す面）とディスク載置面３１４１との交線と一致する。このため、記録ディスク４の内周側に下部傾斜面４０４が形成されていない場合（すなわち、記録ディスク４の内側面４０１の下部が面取り形状とされておらず、内側面４０１と下面４２とが略直角に交わっている場合）であっても、ヌスミ部第１エッジ３１６１を記録ディスク４の下面４２の内周エッジ４２１と一致させるか、または、内周エッジ４２１よりも内側に位置させることができる。その結果、記録ディスク４の内周部の形状に関わらず、記録ディスク４のディスク載置面３１４１に当接する面積を大きくすることができ、記録ディスク４を安定して保持することができる。
【００３９】
ロータハブ３１では、また、ヌスミ部第２エッジ３１６２は、記録ディスク４の内側面４０１の上下方向に関する中央よりも下側に位置する。これにより、記録ディスク４のディスク嵌合面３１２１に当接する面積を大きくすることができ、記録ディスク４の中心軸Ｊ１に対する位置ずれをより確実に防止して、記録ディスク４をさらに確実に保持することができる。
【００４０】
次に、本発明の第２の実施の形態に係るモータについて説明する。図５は、第２の実施の形態に係るモータのロータハブ３１ａ、および、ロータハブ３１ａに固定される記録ディスク４の一部を拡大して示す縦断面図である。ロータハブ３１ａでは、凸部３１２のディスク嵌合面３１２１とディスク載置部３１４のディスク載置面３１４１との間に、図４に示すヌスミ部３１６とは異なる形状のヌスミ部３１６ａが形成される。その他の構成は図４と同様であり、以下の説明において同符号を付す。
【００４１】
図５に示すように、ロータハブ３１ａでは、ディスク載置面３１４１を内側に向けて延長した延長面がヌスミ部３１６ａの底面となっており、第１の実施の形態と同様に、ディスク載置面３１４１が、記録ディスク４の下面４２の内周エッジ４２１を含む（内周側の）環状領域に当接する。また、ディスク嵌合面３１２１の下側のエッジであるヌスミ部第２エッジ３１６２も、第１の実施の形態と同様に、記録ディスク４の内側面４０１の上下方向に関する中央よりも下側（したがって、記録ディスク４の内側面４０１の上側のエッジ４０２よりも当然に下側）に位置する。これにより、記録ディスク４のディスク載置面３１４１に当接する面積を大きく確保するとともに、記録ディスク４の内側面４０１をディスク嵌合面３１２１に確実に対向させることができる。その結果、記録ディスク４の撓みや位置ずれを防止して記録ディスク４を安定して保持することができる。
【００４２】
ロータハブ３１ａでは、特に、ヌスミ部３１６ａがディスク載置面３１４１よりも上側に、すなわち、ディスク載置面３１４１を内側に向けて延長した延長面の上方にのみ形成される。このため、ディスク載置面３１４１は、中心軸Ｊ１（図３参照）を中心とする径方向において、ディスク載置部３１４の外周側から凸部３１２のディスク嵌合面３１２１を中心軸Ｊ１に沿って下方に延長した延長面の位置まで設けられることとなり、記録ディスク４の内側面４０１の下部が面取り形状とされていない場合であっても、記録ディスク４のディスク載置面３１４１に当接する面積を大きくすることができ、記録ディスク４の内周部の形状に関わらず、記録ディスク４を安定して保持することができる。
【００４３】
また、ヌスミ部３１６ａがディスク載置面３１４１よりも上側に形成されているため、凸部３１２およびディスク載置部３１４の形成時に、ディスク載置部３１４の外周側から内周側に向かって切削が行われてディスク載置面３１４１が形成された後、バイトがディスク載置面３１４１に沿ってさらに中心軸Ｊ１（図３参照）側へと移動することにより、凸部３１２の付け根部分にヌスミ部３１６ａを容易に形成することができる。その結果、ロータハブ３１ａの形成を簡素化することができる。
【００４４】
以上、本発明の実施の形態について説明してきたが、本発明は上記実施の形態に限定されるものではなく、様々な変更が可能である。
【００４５】
図６は、他の好ましいロータハブの例を示す図である。図６に示すロータハブ３１ｂでは、ヌスミ部３１６ｂにおいて、ディスク載置面３１４１の内周のエッジであるヌスミ部第１エッジ３１６１が、記録ディスク４の下面４２の内周エッジ４２１よりも内側、かつ、ディスク嵌合面３１２１よりも外側に位置する。ロータハブ３１ｂでも、第１および第２の実施の形態と同様に、記録ディスク４の撓みや位置ずれを防止して記録ディスク４を安定して保持することができる。
【００４６】
ロータハブでは、ディスク載置面３１４１は必ずしも中心軸Ｊ１に垂直である必要はなく、例えば、外周側から内周側に向かって下方に傾斜する傾斜面とされてもよい。
【００４７】
上記実施の形態に係るモータの軸受機構は、例えば、空気を流体とした、いわゆるエア動圧軸受を用いてもよい。また、軸受機構は、必ずしも流体動圧を利用するものである必要はなく、例えば、ボールベアリングであってもよい。
【図面の簡単な説明】
【００４８】
【図１】第１の実施の形態に係る記録ディスク駆動装置の内部構成を示す図である。
【図２】モータの構成を示す縦断面図である。
【図３】モータの一部を示す拡大図である。
【図４】ロータハブおよび記録ディスクの一部を拡大して示す縦断面図である。
【図５】第２の実施の形態に係るロータハブおよび記録ディスクの一部を拡大して示す縦断面図である。
【図６】ロータハブの他の例を示す図である。
【符号の説明】
【００４９】
１    モータ
２    ステータ部
３    ロータ部
４    記録ディスク
２１    ベースプレート
２２    スリーブユニット
２３    シールキャップ
２４    電機子
３１，３１ａ〜３１ｃ    ロータハブ
３２    界磁用磁石
４０    開口
４２    下面
６０    記録ディスク駆動装置
３１２    凸部
３１４    ディスク載置部
３１６，３１６ａ，３１６ｂ    ヌスミ部
４０１    内側面
４０２    エッジ
４２１    内周エッジ
６３１    ヘッド
６３３    ヘッド移動機構
３１２１    ディスク嵌合面
３１４１    ディスク載置面
３１６１    ヌスミ部第１エッジ
３１６２    ヌスミ部第２エッジ
Ｊ１    中心軸
【図１】
2007213629.tif 000003
【図２】
2007213629.tif 000004
【図３】
2007213629.tif 000005
【図４】
2007213629.tif 000006
【図５】
2007213629.tif 000007
【図６】
2007213629.tif 000008